(57)【要約】本開示の実施形態は、ミリ波通信システムにおいて共通制御信号を送信する方法及びデバイスに関する。本開示の一実施形態では、方法は、第１のビーム形成コードブックを構成するステップ、第１のビーム形成コードブックのビーム形成コードワードを用いて、複数の共通制御信号をそれぞれプリコーディングするステップであって、複数の共通制御信号が同一である、ステップ、及び複数のビームを用いて、それぞれプリコーディングされた複数の共通制御信号をセルにおけるそれぞれのビームカバレッジ領域に空間分割多重化で送信するステップを備える。本開示の実施形態によって、同期／ブロードキャスティング／制御シグナリングのためのビーム形成送信は、ミリ波通信において強い経路損失に対抗することができる。それによって、その後のシステム情報についてのＵＥのアクセス及び正確な更新が効果的に保証され得る。【選択図】  図１
2019518362.tif 000002
【特許請求の範囲】
【請求項１】
ミリ波通信システムの基地局において共通制御信号を送信する方法であって、
第１のビーム形成コードブックを構成するステップ、
前記第１のビーム形成コードブックのビーム形成コードワードを用いて、複数の共通制御信号をそれぞれプリコーディングするステップであって、前記複数の共通制御信号は同一である、ステップ、及び
複数のビームを用いて、プリコーディングされた前記複数の共通制御信号をセルにおけるそれぞれのビームカバレッジ領域に空間分割多重化でそれぞれ送信するステップ
を備える方法。
【請求項２】
プリコーディングされた複数の異なる参照信号シーケンスを生成するために、前記ビーム形成コードワードを用いて、前記複数の共通制御信号に対して参照信号シーケンスをそれぞれプリコーディングするステップであって、プリコーディングされた前記複数の参照信号シーケンスは前記複数のビームによって搬送される、ステップ、及び
前記複数のビームを前記セルにおける前記それぞれのビームカバレッジ領域に前記空間分割多重化でそれぞれ送信するステップ
をさらに備える請求項１に記載の方法。
【請求項３】
プリコーディングされた前記複数の共通制御信号を送信するために少なくとも１つのＯＦＤＭシンボルの少なくとも１つのサブキャリアを用いて、プリコーディングされた前記複数の共通制御信号の送信パワーを増加させるステップであって、前記少なくとも１つのサブキャリアがプリコーディングされた前記複数の共通制御信号を送信するために用いられることが回避される、ステップ
をさらに備える請求項１又は２に記載の方法。
【請求項４】
少なくとも１つの第２のビーム形成コードブックを構成するステップであって、前記第２のビーム形成コードブックが前記第１のビーム形成コードブックとは異なる、ステップ、
前記少なくとも１つの第２のビーム形成コードブックのビーム形成コードを用いて、前記複数の同一の共通制御信号をそれぞれプリコーディングするステップ、及び
複数のビームを用いて、前記少なくとも１つの第２のビーム形成コードブックでそれぞれプリコーディングされた前記複数の共通制御信号を前記セルにおける前記それぞれのビームカバレッジ領域に前記空間分割多重化で送信するステップであって、前記少なくとも１つの第２のビーム形成コードブックでプリコーディングされた前記共通制御信号が送信される前記ビームカバレッジ領域が、前記第１のビーム形成コードブックでプリコーディングされた前記共通制御信号が送信される前記ビームカバレッジ領域に対してビームシフトを有する、ステップ
をさらに備える請求項１又は２に記載の方法。
【請求項５】
前記複数のビームを用いて、前記第１のビーム形成コードブックでプリコーディングされた前記複数の共通制御信号及び前記少なくとも１つの第２のビーム形成コードブックでプリコーディングされた前記複数の共通制御信号を所定の順序で前記セルにおける前記それぞれのビームカバレッジ領域に前記空間分割多重化の方式で送信するステップ
さらに備える請求項４に記載の方法。
【請求項６】
構成情報をユーザ機器に送信するステップであって、前記構成情報は、
前記第１のビーム形成コードブックのコードブックサイズ、及び
前記ビームシフトについての情報
のうちの少なくとも一方を備える、ステップ
をさらに備える、請求項４又は５に記載の方法。
【請求項７】
前記共通制御信号が少なくとも、
同期シグナリング、
ブロードキャスティングシグナリング、及び
共通制御シグナリング
のうちの少なくとも１つを備える、請求項１に記載の方法。
【請求項８】
ミリ波通信システムの基地局において共通制御信号を送信する方法であって、
ビーム形成コードブックを構成するステップ、
前記ビーム形成コードブックのそれぞれのビーム形成コードワードを用いて、複数の共通制御信号をそれぞれプリコーディングするステップ、及び
プリコーディングされた各共通制御信号について、前記プリコーディングされた共通制御信号を送信するために、単一のビームでセル全体を順次走査するステップであって、前記単一のビームがプリコーディングされた１つの共通制御信号を搬送する、ステップ
を備える方法。
【請求項９】
構成情報をユーザ機器に送信するステップであって、前記構成情報は以下の、前記単一のビームで前記セル全体を走査する期間、前記共通制御信号を送信する継続時間及び前記ビーム形成コードブックのコードブックサイズのうちの少なくとも１つを備える、ステップ
をさらに備える請求項８に記載の方法。
【請求項１０】
プリコーディングされた複数の異なる参照信号シーケンスを生成するために、前記ビーム形成コードブックのそれぞれのビーム形成コードワードを用いて、前記共通制御信号の参照信号シーケンスをそれぞれプリコーディングするステップ、及び
プリコーディングされた各参照信号シーケンスについて、単一のビームで前記セル全体を順次走査するステップであって、前記単一のビームがプリコーディングされた１つの参照信号シーケンスを搬送する、ステップ
をさらに備える請求項７又は８に記載の方法。
【請求項１１】
前記共通制御信号が少なくとも、
同期シグナリング、
ブロードキャスティングシグナリング、及び
共通制御シグナリング
のうちの少なくとも１つを備える、請求項８に記載の方法。
【請求項１２】
ミリ波通信システムの基地局において共通制御信号を送信する方法であって、
ビーム形成コードブックを構成するステップ、
前記ビーム形成コードブックのそれぞれのビーム形成コードワードを用いて、複数の共通制御信号をそれぞれプリコーディングするステップであって、前記複数の共通制御信号は同一である、ステップ、及び
セルの各領域を単一のビームで前記各領域内において同時に空間分割多重で走査するステップであって、前記各領域全体はプリコーディングされた複数の共通制御信号を送信するために異なる単一のビームでそれぞれ走査され、前記単一のビームがプリコーディングされた１つの共通制御信号を搬送する、ステップ
を備える方法。
【請求項１３】
ミリ波通信システムの基地局において共通制御信号を送信するデバイスであって、
第１のビーム形成コードブックを構成する構成モジュール、
前記第１のビーム形成コードブックのビーム形成コードワードを用いて、複数の共通制御信号をそれぞれプリコーディングするプリコーディングモジュールであって、前記複数の共通制御信号は同一である、プリコーディングモジュール、及び
複数のビームを用いて、プリコーディングされた前記複数の共通制御信号をセルにおけるそれぞれのビームカバレッジ領域にそれぞれ空間分割多重化で送信する送信モジュール
を備えるデバイス。
【請求項１４】
ミリ波通信システムの基地局において共通制御信号を送信するデバイスであって、
ビーム形成コードブックを構成する構成モジュール、
前記ビーム形成コードブックのそれぞれのビーム形成コードワードを用いて、前記共通制御信号をプリコーディングするプリコーディングモジュール、及び
プリコーディングされた各共通制御信号について、プリコーディングされた前記共通制御信号を送信するために、セル全体を単一のビームで順次走査する走査モジュールであって、前記単一のビームがプリコーディングされた１つの共通制御信号を搬送する、走査モジュール
を備えるデバイス。
【請求項１５】
ミリ波通信システムの基地局において共通制御信号を送信するデバイスであって、
ビーム形成コードブックを構成する構成モジュール、
前記ビーム形成コードブックのそれぞれのビーム形成コードワードを用いて、複数の共通制御信号をそれぞれプリコーディングするプリコーディングモジュールであって、前記複数の共通制御信号は同一である、プリコーディングモジュール、及び
セルの各領域を単一のビームで前記各領域内において同時に空間分割多重化で走査する走査モジュールであって、前記各領域全体はプリコーディングされた複数の共通制御信号を送信するために異なる単一のビームでそれぞれ走査され、前記単一のビームがプリコーディングされた１つの共通制御信号を搬送する、走査モジュール
を備えるデバイス。
【発明の詳細な説明】
【技術分野】
【０００１】
本開示の実施形態は、移動体通信技術、より具体的には、ミリ波通信システムにおいて共通制御信号を送信する方法及びデバイスに関する。
【背景技術】
【０００２】
第５世代（５Ｇ）の物理レイヤは、データレートの高性能性と、コスト及び消費電力の低下とを提供することを目的とする。次世代の移動体セルラ通信規格が１秒当たりギガビットのデータレートに到達するためには、ミリ波周波数で利用可能な帯域幅を増加させることが選択肢の１つとなる。ミリ波周波数では、大きな経路損失、大気及び降雨による吸収作用、障害物周囲の低回折並びに対象物の低貫通性を含む無線チャンネルの伝搬品質が良好でない。
【０００３】
ミリ波通信システムにおけるこれらの良好でない伝搬品質に対処するには、データ送信に対する大規模アレイ及び狭ビームがキーとなる技術である。しかしながら、ミリ波通信について共通ダウンリンク（ＤＬ）制御チャネル及びブロードキャスティングチャネル（例えば、ＰＳＳ／ＳＳＳ／ＰＢＣＨ／ＰＤＣＣＨ（ＣＳＳ））上での送信は、主にプリコーディングされていない送信方式又はダイバーシティ方式に基づく。その上これらのミリ波通信については、ミリ波チャネルの上記特性に起因して、ＬＴＥ制御チャネルについて送信方式の再利用が、信号対干渉雑音比（ＳＩＮＲ）及びミリ波通信システムのカバレッジ要件を満たさないことがある。
【０００４】
したがって、本開示の実施形態では、ＤＬ同期／ブロードキャスティング／制御シグナリングのビーム形成された送信を検討する。同期又は初期アクセスの段階中は、ユーザ機器（ＵＥ）固有のビーム形成情報もセル固有の参照信号（ＣＲＳ）構成もＵＥには利用できず、ＵＥ固有のビーム形成送信は不可能となる。したがって、所定のコードブックに基づいてセル固有にビーム形成された送信方式が考慮される。
【０００５】
これまでのところ、共通同期／ＰＢＣＨ／ＰＤＣＣＨに対してビーム形成された送信については詳細に検討されていない。ＵＥ固有の制御チャネルに用いられるこれまでに検討されたビーム走査又はビーム格子（ＧｏＢ）について、主なターゲットは強制的なチャネル状態情報（ＣＳＩ）フィードバックでビーム選択を実行することであり、ＣＳＩはＵＥ固有のデータ／制御チャネルのプリコーディングのためにさらに用いられることになる。しかしながら、この概念は、ＤＬ共通制御チャネル上の送信には用いることはできない。
【発明の概要】
【０００６】
従来の本技術分野に存在する技術的問題を考慮して、本開示の実施形態は、ミリ波通信システムにおいて共通制御信号を送信する方法及びデバイスを提供する。
【０００７】
本開示の第１の態様によると、ミリ波通信システムの基地局において共通制御信号を送信する方法が提示され、この方法は、第１のビーム形成コードブックを構成するステップと、第１のビーム形成コードブックのビーム形成コードワードを用いて複数の共通制御信号をそれぞれプリコーディングするステップであって、複数の共通制御信号は同一である、ステップと、複数のビームを用いて、プリコーディングされた複数の共通制御信号をセルにおけるそれぞれのビームカバレッジ領域に空間分割多重化でそれぞれ送信するステップとを備える。
【０００８】
本開示の第２の態様によると、ミリ波通信システムの基地局において共通制御信号を送信する方法が提示され、この方法は、ビーム形成コードブックを構成するステップ、ビーム形成コードブックのそれぞれのビーム形成コードワードを用いて複数の共通制御信号をそれぞれプリコーディングするステップ、及びプリコーディングされた各共通制御信号について、プリコーディングされた共通制御信号を送信するために単一のビームでセル全体を順次走査するステップであって、単一のビームがプリコーディングされた１つの共通制御信号を搬送する、ステップを備える。本開示の第３の態様によると、ミリ波通信システムの基地局において共通制御信号を送信する方法が提示され、この方法は、ビーム形成コードブックを構成するステップ、ビーム形成コードブックのそれぞれのビーム形成コードワードを用いて複数の共通制御信号をそれぞれプリコーディングするステップであって、複数の共通制御信号は同一である、ステップ、及びセルの各領域を単一のビームで各領域内において同時に空間分割多重化で走査するステップであって、各領域の全体はプリコーディングされた複数の共通制御信号を送信するために異なる単一のビームでそれぞれ走査され、単一のビームがプリコーディングされた１つの共通制御信号を搬送する、ステップを備える。
【０００９】
本開示の第４の態様によると、ミリ波通信システムの基地局において共通制御信号を送信するデバイスが提示され、このデバイスは、第１のビーム形成コードブックを構成する構成モジュール、第１のビーム形成コードブックのビーム形成コードワードを用いて複数の共通制御信号をそれぞれプリコーディングするプリコーディングモジュールであって、複数の共通制御信号は同一である、プリコーディングモジュール、及び複数のビームを用いて、プリコーディングされた複数の共通制御信号をセルにおけるそれぞれのビームカバレッジ領域に空間分割多重化でそれぞれ送信する送信モジュールを備える。さらに、プリコーディングモジュールは、プリコーディングされた複数の異なる参照信号シーケンスを生成するために、ビーム形成コードワードを用いて複数の共通制御信号に対して参照信号シーケンスをそれぞれプリコーディングするようにさらに構成され、プリコーディングされた複数の参照信号シーケンスは複数のビームによってそれぞれ搬送される。
【００１０】
送信モジュールは、複数のビームをセルにおける対応するビームカバレッジ領域に空間分割多重化で個別に送信するようにさらに構成される。
【００１１】
その上、デバイスはパワーブーストモジュールをさらに備え、それはプリコーディングされた複数の共通制御信号を送信するために、少なくとも１つのＯＦＤＭシンボルの少なくとも１つのサブキャリアを用いてプリコーディングされた複数の共通制御信号の送信パワーを増加させ、少なくとも１つのサブキャリアがプリコーディングされた複数の共通制御信号を送信するために用いられることが回避される。
【００１２】
好ましくは、構成モジュールは、少なくとも１つの第２のビーム形成コードブックを構成し、第２のビーム形成コードブックは第１のビーム形成コードブックとは異なり、少なくとも１つの第２のビーム形成コードブックのビーム形成コードワードを用いて複数の同一の共通制御信号をそれぞれプリコーディングし、複数のビームを用いて、少なくとも１つの第２のビーム形成コードブックでそれぞれプリコーディングされた複数の共通制御信号をセルにおけるそれぞれのビームカバレッジ領域に空間分割多重化で送信するためにさらに用いられ、ビームカバレッジ領域は、それに少なくとも１つの第２のビーム形成コードブックでプリコーディングされた共通制御信号が送信され、第１のビーム形成コードブックでプリコーディングされた共通制御信号が送信されるビームカバレッジ領域に対してビームシフトを有する。
【００１３】
好ましくは、送信モジュールは、複数のビームを用いて、第１のビーム形成コードブックでプリコーディングされた複数の共通制御信号及び少なくとも１つの第２のビーム形成コードブックでプリコーディングされた複数の共通制御信号を所定の順序でセルにおけるそれぞれのビームカバレッジ領域に空間分割多重化で送信するようにさらに構成される。
【００１４】
好ましくは、送信モジュールは構成情報をユーザ機器に送信するようにさらに構成され、構成情報は第１のビーム形成コードブックのコードブックサイズ及びビームシフトについての情報のうちの少なくとも一方を備える。
【００１５】
本開示の第５の態様によると、ミリ波通信システムの基地局において共通制御信号を送信するデバイスが提示され、このデバイスは、ビーム形成コードブックを構成する構成モジュール、ビーム形成コードブックのそれぞれのビーム形成コードワードを用いて共通制御信号をプリコーディングするプリコーディングモジュール、及びプリコーディングされた各共通制御信号について、プリコーディングされた共通制御信号を送信するために単一のビームでセル全体を順次走査する走査モジュールであって、単一のビームがプリコーディングされた１つの共通制御信号を搬送する走査モジュールを備える。好ましくは、デバイスは、構成情報をユーザ機器に送信する送信モジュールであって、構成情報は以下の、単一のビームでセル全体を走査する期間、共通制御信号を送信する継続時間、及びビーム形成コードブックのコードブックサイズのうちの少なくとも１つを備える、送信モジュールをさらに備える。
【００１６】
プリコーディングモジュールは、プリコーディングされた複数の異なる参照信号シーケンスを生成するために、ビーム形成コードブックのそれぞれのビーム形成コードワードを用いて共通制御信号の参照信号シーケンスをそれぞれプリコーディングするようにさらに構成される。
【００１７】
走査モジュールは、プリコーディングされた各参照信号シーケンスについて、単一のビームでセル全体を順次走査するようにさらに構成され、単一のビームがプリコーディングされた１つの参照信号シーケンスを搬送する。
【００１８】
本開示の第６の態様によると、ミリ波通信システムの基地局において共通制御信号を送信するデバイスが提示され、このデバイスは、ビーム形成コードブックを構成する構成モジュール、ビーム形成コードブックのそれぞれのビーム形成コードワードを用いて複数の共通制御信号をそれぞれプリコーディングするプリコーディングモジュールであって、複数の共通制御信号が同一である、プリコーディングモジュール、及びセルの各領域を単一のビームで各領域内において同時に空間分割多重化で走査する走査モジュールであって、各領域の全体はプリコーディングされた複数の共通制御信号を送信するために異なる単一のビームでそれぞれ走査され、単一のビームがプリコーディングされた１つの共通制御信号を搬送する、走査モジュールを備える。
【００１９】
ここで、構成モジュールは、領域コードブック及びビーム走査コードブックによってビーム形成コードブックを決定するようにさらに構成され、領域コードブックがセルにおける異なる領域をそれぞれ示すＮｓｅｃｔｏｒコードワードを備え、ビーム走査コードブックが１つの領域において利用可能なビーム形成コードワードを示すＮｂｅａｍコードワードを備える。
【００２０】
好ましくは、構成モジュールは、領域コードブックとビーム走査コードブックの行列のクロネッカー積を取得することによってビーム形成コードブックを決定するようにさらに構成される。
【００２１】
プリコーディングモジュールは、プリコーディングされた複数の異なる参照信号シーケンスを生成するために、ビーム形成コードワードを用いて共通制御信号に対して参照信号シーケンスをそれぞれプリコーディングするようにさらに構成される。
【００２２】
走査モジュールは、セルの各領域において、セルの各領域を単一のビームで各領域内において同時に空間分割多重化で走査するようにさらに構成され、各領域の全体はプリコーディングされた複数の異なる参照信号シーケンスを送信するために異なる単一のビームでそれぞれ走査され、単一のビームがプリコーディングされた１つの参照信号シーケンスを搬送する。
【００２３】
本開示の実施形態によって、同期／ブロードキャスティング／制御シグナリングに対するビーム形成された送信はミリ波通信システムにおいて強い経路損失に対抗することができる。それによって、システム情報についてのＵＥのアクセス及びその後の正確な更新が効果的に保証され得る。背景技術に記載したようなＵＥ固有の制御チャネルビーム走査とは異なり、本開示の実施形態では、ＤＬ共通同期／ブロードキャスティング／制御シグナリングについては、同一のシグナリングがすべてのビーム上で同時に送信され又は１つずつ走査され、ＣＳＩフィードバックが必要とされない。したがって、対応する信号処理及び組み込まれた参照信号シーケンスのプリコーディング及びリソースのマッピングは異なるべきである。
【００２４】
本開示の種々の態様が、具体的な実施形態についての以下の説明によりさらに明らかとなる。
【００２５】
本開示の他の構成、目的及び効果が、以下の添付図面とともに非限定的な実施形態の詳細な説明を読むことによりさらに明らかとなる。
【図面の簡単な説明】
【００２６】
【図１】図１は、本開示の一実施形態による共通制御信号を送信する方法１００のフローチャートを示す。
【図２】図２は、本開示の一実施形態による共通制御信号を送信することについての概略図を示す。
【図３】図３は、本開示の他の実施形態による共通制御信号を送信する方法２００のフローチャートを示す。
【図４】図４は、本開示の一実施形態による共通制御信号を送信することについての概略図を示す。
【図５】図５は、本開示のさらなる実施形態による共通制御信号を送信する方法３００のフローチャートを示す。
【図６】図６は、本開示のさらなる実施形態による共通制御信号を送信することについての概略図を示す。
【図７】図７は、本開示の一実施形態による共通制御信号を送信するデバイスの概略図を示す。
【図８】図８は、本開示の他の実施形態による共通制御信号を送信するデバイスの概略図を示す。
【図９】図９は、本開示のさらなる実施形態による共通制御信号を送信するデバイスの概略図を示す。
【発明を実施するための形態】
【００２７】
同一又は類似の符号は、異なる図面の全体を通じて同一又は対応する部分又は構成を表す。
【００２８】
本開示の実施形態において、共通制御信号は、それに限定されないが、共通ＤＬ同期／ブロードキャスティング／制御シグナリングを含み、１以上の狭帯域が共通制御信号に対して指定され、それは制限されたシグナリングがこれらの共通チャネルに含まれるので妥当である。
【００２９】
方式に基づくと、ミリ波通信チャネルに対する強い経路損失に対抗するのにセル固有のビーム形成を用いる以外に、本開示のある実施形態においては、制御シグナリングの強度をさらに増加させるのに、同一のＯＦＤＭシンボル上の他のリソース要素（ＲＥ）／サブキャリアからパワーを借りることによるパワーの増強が考えられる。これらのＲＥ／サブキャリアは、共通制御信号を送信するには用いられないが、それはアイドル及び／又はアイドル状態ではなくても、エネルギーの要件はより低い。あるいは、これらのサブキャリアはデータ送信に用いられ、一方のデータは他のブースティングで送信されてもよいので、いくらかのパワーが制御チャネルの送信に割り当てられ得る。
【００３０】
時間ドメインにおいては、異なる共通制御信号（例えば、同期シグナリング及びマスター情報ブロック（ＭＩＢ））の送信期間及びリソース割当てはＵＥアクセスの前に構成可能であり及び／又は予め決定され、それは、例えばｅＮＢ及びＵＥ側の双方で予め構成され得る。共通制御信号の送信について、本開示の実施形態は以下の３つの任意の送信方式を提示する。
方式１：複数のビームによる空間多重化（ＳＭ）
方式２：ビーム探索
方式３：ビーム探索及び多重化の組合せ
【００３１】
各送信方式について、対応する共通制御信号の参照信号シーケンスには、共通制御信号の送信のための同一のビーム形成重み付け（ビーム形成コードワードとしても知られる）が組み込まれる。ただし、ビームはすべてのＵＥに対して共通制御信号を送信するために用いられるので、共通制御信号にＣＳＩは必要とされない。これはビーム形成されたＵＥ固有の制御シグナリングとのキーとなる相違であり、ビーム形成されたＵＥ固有の制御シグナリング方式において、さらにビームを選択し又はシグナリングビーム形成を調整するには複数のビームに対するＣＳＩフィードバックが必要となる。したがって、参照信号シーケンスの設計及びリソース割当ては、ビーム形成されたＵＥ固有の制御シグナリング又は専用データのものとは異なる。具体的には、本開示の一実施形態において、異なるセルに対する参照信号シーケンスのリソース割当ての情報は、ブロードキャスティング及び制御チャネルの検出前にＵＥに知らされるべきであり、例えば、セル識別（ＩＤ）を用いてＵＥに明示され得る。
【００３２】
上記３つの方式を、図１〜６を参照して詳細に説明する。
【００３３】
方式１：複数のビームによる空間多重化
図１は、本開示の一実施形態による共通制御信号を送信する方法１００のフローチャートを示す。
【００３４】
図１に示すように、ステップＳ１０２では、基地局は第１のビーム形成コードブックで構成される。
【００３５】
ステップＳ１０３では、基地局は、第１のビーム形成コードブックのビーム形成コードワードを用いて、複数の共通制御信号をそれぞれプリコーディングする。
【００３６】
ステップＳ１０５では、基地局は、複数のビームを用いて、プリコーディングされた複数の共通制御信号をセルにおけるそれぞれのビームカバレッジ領域に空間分解多重化でそれぞれ送信する。
【００３７】
選択的に、複数の共通制御信号を送信する前に、方法はステップＳ１０１をさらに備え、基地局が、プリコーディングされた複数の異なる参照信号シーケンスを生成するために、ビーム形成コードワードを用いて、複数の共通制御信号に対して参照信号シーケンスをそれぞれプリコーディングし、プリコーディングされた複数の参照信号シーケンスは複数のビームによってそれぞれ搬送される。次に、基地局は、複数のビームをセルにおけるそれぞれのビームカバレッジ領域に空間分割多重化でそれぞれ送信する。それにより、ＵＥは、後続の共通制御信号のチャネルの推定及び復調のために受信された参照信号シーケンスを利用することができる。
【００３８】
選択的に、本開示の一実施形態では、方法はステップＳ１０４をさらに備え、基地局が、プリコーディングされた複数の共通制御信号を送信するために、少なくとも１つのＯＦＤＭシンボルの少なくとも１つのサブキャリアを用いて、プリコーディングされた複数の共通制御信号の送信パワーを増加させ、少なくとも１つのサブキャリアがプリコーディングされた複数の共通制御信号を送信するのに用いられることが回避される。その結果として、共通制御信号を送信するためのパワーが増加するので、送信のロバスト性が向上し得る。
【００３９】
本開示の一実施形態では、方法はステップＳ１０６をさらに備え、基地局が第１のビーム形成コードブックとは異なる少なくとも１つの第２のビーム形成コードブックで構成される。また、基地局は、少なくとも１つの第２のビーム形成コードブックのビーム形成コードワードを用いて、複数の同一の共通制御信号をそれぞれプリコーディングする。さらに、基地局は、複数のビームを用いて、少なくとも１つの第２のビーム形成コードブックでそれぞれプリコーディングされた複数の共通制御信号をセルにおけるそれぞれのビームカバレッジ領域に空間分割多重化で送信し、少なくとも１つの第２のビーム形成コードブックでプリコーディングされた共通制御信号が送信されるビームカバレッジ領域は、第１のビーム形成コードブックでプリコーディングされた共通制御信号が送信されるビームカバレッジ領域に対してビームシフトを有する。この実施形態では、基地局は、これまでカバーされなかったＵＥをカバーするためにビームの送信角度を調整し得る。
【００４０】
本開示の一実施形態では、基地局は、複数のビームを用いて、第１のビーム形成コードブックでプリコーディングされた複数の共通制御信号及び少なくとも１つの第２のビーム形成コードブックでプリコーディングされた複数の共通制御信号を所定の順序でセルにおけるそれぞれのビームカバレッジ領域に空間分割多重化で送信する。ここでは、送信は、例えば、循環的又は交互に実施され得る。
【００４１】
本開示の一実施形態では、方法は、基地局が構成情報をユーザ機器に送信することをさらに備え、構成情報は、第１のビーム形成コードブックのコードブックサイズ及びビームシフトについての情報のうちの少なくとも１つを備える。なお、このステップは必須ではない。
【００４２】
上記ステップの各々を、図２を参照してさらに説明する。
【００４３】
この方式では、異なるビーム形成コードワード（ビーム形成重み付けともいう）でプリコーディングされた同一の共通制御信号（同期／ブロードキャスティング／制御シグナリング）は空間多重化モードで複数のビーム上で送信されるので、異なる領域／セクタによってカバーされたＵＥは同一信号の共通制御信号を同時に受信できる。この方式において、異なるビームで送信された共通制御信号の内容は同一であるが、種々の共通制御信号に対するビーム形成重み付けは、プリコーディングされた共通制御信号が空間多重化を形成するように異なる。
【００４４】
さらに、この方式では、送信パワーが異なるビーム上に指定されるべきである。ここでは、電力制限でサポートされたビーム数は、セルエッジにおける最小受信ＳＩＮＲを満たすように推定され得る。
【００４５】
本開示の一実施形態では、共通制御信号を搬送するリソースブロックにおいて、共通制御信号の参照信号シーケンスは、共通制御信号に対するビームベクトル（ビーム形成重み付け／コードワードともいわれる）として同一の空間多重化ビームベクトルでプリコーディングされ、チャネル推定及び復調を実行するために送信されるリソースブロックに組み込まれる。そのようにして、異なるコードワードで重み付けされた同一の参照信号シーケンスは、複数のビーム上に差分参照信号シーケンスを形成することになる。
【００４６】
この方式について、ＣＳＩフィードバックは必要とされないので、参照信号シーケンスのプリコーディング及びマッピングは、１つのビーム形成されたポートは固有のリソース要素のセット上で共有することなくマッピングされるべきであり、ＵＥ固有の制御シグナリング又は専用データに用いられるビーム形成された送信とは全体的に異なる。ただし、本開示において共通同期／ブロードキャスティング／制御に用いられる参照信号シーケンスについては、複数のビームのビーム形成された参照信号シーケンスが、図２に示すように、さらに復号するために同一のリソース要素上で多重化されるべきである。この配置によって、参照信号シーケンスの送信のオーバーヘッドが大幅に低減することになる。
【００４７】
さらに、本開示の一実施形態では、異なるビーム内の送信中に、隣り合うビーム間の領域に不十分なカバレッジについての問題が生じることがある。この問題を解決するために、以下のような解決手段が提示される。
【００４８】
−パワーブーストが用いられて、同一のＯＦＤＭシンボル上の他のリソース要素からパワーを借りることによって制御シグナリングの強度をさらに増加させる。
【００４９】
−ビームシフト方式が用いられて、カバレッジホールの問題を解決する。図２は、２種類のビームシフト化による方式１を示す。タイムスロットｔでは、ＵＥ０が２つの隣り合うビーム間のカバレッジホールに位置する。タイムスロットｔ＋１では、Ｎをビーム数として、タイムスロットｔで形成されたすべてのビームが、角度θ、例えば、θ＝３６０／Ｎ／２＝３６０／８／２＝２２．５°でシフトされる。このようにして、ＵＥ０は、共通同期／ブロードキャスティング／制御信号をカバー及び受信し得る。
【００５０】
本開示の一実施形態では、種々のビームシフト方式が利用され得る。例えば、ビームは、元のものに対してθ１、θ２．．．θｎでシフトされ得る。この場合には、上記複数の異なるビームは、所定の順序で送信され、例えば、循環的に送信されてもよい。すなわち、タイムスロットｔでは初期ビームが送信され、タイムスロットｔ＋１ではθ１シフトされたビームが送信され、．．．タイムスロットｔ＋ｎではθｎシフトされたビームが送信される。最終的に、それは初期ビームを送信するように戻される。当然のことながら、他のフレキシブルな送信方式が用いられてもよく、例えば、上記のシフトされた複数のビームが交互に送信される。
【００５１】
この方式では、ＵＥはコードブックの選択に対して透過的であり、ＣＳＩフィードバックは必要とされない。本開示の一実施形態では、ｅＮＢは、適切な手段によって（明示的に／暗黙的に）、ビーム形成された共通制御信号をいつ検出するかに関する時間／期間、コードブックサイズ及び／又はビームシフトについての情報（例えば、ビームシフトの特定パターン、その送信する順序など）をＵＥに通知し得る。なお、上記の情報は必須ではないが、必要な場合にのみ送信される。
【００５２】
ＵＥが２つのビームよってカバーされた重複領域に位置する場合には、ダイバーシティゲインは、２つのビームから信号を同時に受信することによって実現可能である。
【００５３】
上記方式の特定の実施手順を、図２を参照して示す。図２に示すように、図２の例では、８個のビームが用いられて共通制御信号を送信する。ここでは、共通制御信号は、８個のビーム形成コードワード／重み付けを備えたビーム形成コードブックでプリコーディングされ、空間分割多重化で送信される。図２に示すように、８個のデータストリームは、送信のための対応する時間周波数リソースにおいて重複する。本開示の一実施形態では、８個のビーム形成コードワード／重み付けを、空間多重化ビーム形成行列の形式で示すことができる。
【００５４】
説明の目的のために、本開示の一実施形態を式１によって示す。ただし、以下の式は本開示の範囲を限定することなく、単なるコードブック設計の基準であることを理解すべきである。当業者であれば、他のコードブック設計の基準も採用され得ることが分かるはずである。
【００５５】
式１で示すように、ｙ１．．．ｙ８は、種々のビームによって搬送されＵＥによって受信される共通制御信号である。Ｓ１．．．Ｓ８は、同一の内容を有する共通制御信号である。Ｈはチャネル行列である。
【数１】
2019518362.tif 000003
【００５６】
本開示の一実施形態では、ビーム形成行列（プリコーディング行列）Ｗのビーム形成コードワード／重み付けｗ１．．．ｗ８は、式１におけるｈｉｗｉが０でなく、かつｈｉｗｉが０またはゼロに近い、すなわち、空間多重化であるように選択され得る。したがって、図２に示す８個のビームが生成され、それらは異なる領域（すなわち、セクタという）を指し示してカバーする。それによって、異なる領域が、同一の内容を有するが異なる方式においてプリコーディングされる共通制御信号を含む。例えば、ビーム１はｈ１ｗ１ｓ１と示されることもあり、ビーム２はｈ２ｗ２ｓ２と示されることもある。
【００５７】
さらに、共通制御信号を搬送する上記ビームを送信する前に、共通制御信号の参照信号シーケンスを搬送するビームが、同一のビーム形成コードワード／重み付けｗ１．．．ｗ８で送信され得る。すなわち、参照信号シーケンスは、共通制御信号と同一のプリコーディング方式となる。それによって、ＵＥは、引き続き送信される共通制御信号に対してチャネル推定及び復調を実行し得る。
【００５８】
さらに、上記の参照信号シーケンスは、種々の共通制御信号を送信するための物理リソースブロックの領域に組み込まれ、リソースオーバーヘッドをさらに節約するために同一のリソース要素において空間多重化され得る。
【００５９】
上記のように、ＵＥが２つの隣り合うビーム間のカバレッジホール内にある場合には、ビームシフト方法はこの問題を解決するのに用いられ得る。例えば、これまでのすべてのビームは、ビーム形成コードワード／重み付けｗ１．．．ｗ８を調整することによって角度θシフトされ得る。選択的に、これはまた、他のビーム形成コードブックを構成する（すなわち、他の空間多重化ビーム形成行列を用いる）ことによって実施されてもよい。すべてのビームが角度θシフトされた後に、ＵＥ０はカバーされ、共通同期／ブロードキャスティング／制御信号が節約され得る。
【００６０】
本開示の一実施形態によると、ビームの角度は、時間を考慮して交互に又は循環的に変動し得る。すなわち、基地局は、第１の空間多重化ビーム形成行列及び第２の空間多重化ビーム形成行列を介してプリコーディングされる共通制御信号を交互に又は循環的に送信し得る。ここでは、２つの空間多重化ビーム形成行列のみ用いて説明したが、上記の理想はより多くの空間多重化ビーム形成行列に拡張され得ることを理解すべきである。
【００６１】
方式２：ビーム探索方式
図３は、本開示の他の実施形態による共通制御信号を送信する方法２００のフローチャートを示す。
【００６２】
図３に示すように、ステップＳ２０２では、基地局はビーム形成コードブックで構成される。
【００６３】
ステップＳ２０３では、基地局は、ビーム形成コードブックのそれぞれのビーム形成コードワードを用いて、共通制御信号をそれぞれプリコーディングする。
【００６４】
次に、ステップＳ２０４では、基地局は、プリコーディングされた各共通制御信号について、プリコーディングされた共通制御信号を送信するために、単一のビームでセル全体を順次走査し、単一のビームがプリコーディングされた１つの共通制御信号を搬送する。
【００６５】
選択的に、方法は、共通制御信号を送信する前に、さらにＳ２０１を備え、基地局が、プリコーディングされた複数の異なる参照信号シーケンスを生成するために、ビーム形成コードブックのそれぞれのビーム形成コードワードを用いて、共通制御信号の参照信号シーケンスを個別にプリコーディングする。さらに、基地局は、プリコーディングされた各参照信号シーケンスについて、セル全体にわたって１つずつ単一のビームで走査し、単一のビームがプリコーディングされた１つの参照信号シーケンスを搬送する。それによって、ＵＥは受信された参照信号シーケンスを用いて、後続の共通制御信号に対してチャネル推定及び復調を実行し得る。
【００６６】
本開示の一実施形態では、方法は、基地局が構成情報をユーザ機器に送信することをさらに備え、構成情報は以下の、単一のビームでセル全体を走査する期間、共通制御信号を送信する継続時間、及びビーム形成コードブックのコードブックサイズのうちの少なくとも１つを備える。なお、上記の構成情報は、必ずしも送信されなくてもよい。
【００６７】
上記のステップを、図４との関連において詳細に示す。
【００６８】
この方式では、ビームは、セル全体にわたって同一の共通制御信号で基地局（ｅＮＢ）側において走査される。さらに、共通制御信号の参照信号シーケンスは、共通制御信号をプリコーディングするのと同一のビーム形成ベクトルでプリコーディングされ、リソースブロックに組み込まれる。
【００６９】
この方式では、単一のＵＥについて、その指し示されるビームにおいて受信された信号のみが最も強く、他のビームにおいて受信された信号は非常に弱いので信号の復号に成功することはない。
【００７０】
したがって、本開示の一実施形態では、セル全体のビーム走査を終了するのに用いられる時間は、有効更新期間、すなわち、Ｎをビーム数として、Ｎ個のタイムスロットとして表示される。例えば、１つのビームは１つのタイムスロットにおいてセル全体にわたって走査される。選択的に、一種類の共通制御信号が１つの有効更新期間において走査され、他の種類の共通制御信号は次の有効更新期間において走査される。
【００７１】
選択的に、この方式は、高い冗長性、低い変調符号化方式（ＭＣＳ）などの他のロバスト方式でさらに実施されてもよい。そのようにして、少数のビームでビーム探索することによって生じる時間の負担が軽減され得る。
【００７２】
図４は、方式２の概略図を示す。中央狭帯域リソース領域は、ビーム形成された共通制御信号（同期／ブロードキャスティング／制御シグナリング）に対して指定される。Ｎ個のタイムスロットの期間中に、同一の内容を有する共通制御信号は、プリコーディングされたＮ個の共通制御信号を生成するために、ビーム１〜ビームＮの異なるビーム形成重み付けによってプリコーディングされる。そして、プリコーディングされたＮ個の共通制御信号は、異なるタイムスロット１〜Ｎにおいて送信される。すなわち、この方式では、異なるビーム形成重み付けによってプリコーディングされた同一の内容を有する共通制御信号は１つずつ走査される。
【００７３】
ビーム形成重み付けはビーム走査によりセル全体をカバーするようにｅＮＢ側におけるコードブックとして予め決められるので、有効更新期間（Ｎ個のタイムスロット）の後に、セルにおけるＵＥは、最も指し示されたビームにおいて強い強度のビーム形成された共通制御信号を受信することができる。
【００７４】
本開示の一実施形態では、ビーム形成ベクトルを決定するには、例えば、ＬＴＥ／ＬＴＥ−Ａコードブック設計において用いられる場合に、ＮＴｘを送信アンテナ数、Ｎをビーム／アンテナポート数として、離散フーリエ変換（ＤＦＴ）によるコードブックＷ＝ｗ＝［ｗ１，ｗ２，．．．，ｗｎ］ＮＴｘ×Ｎが検討されてもよい。なお、本開示の範囲におけるコードブックは任意の適切なＬＴＥ／ＬＴＥ−Ａコードブックに従ってもよく、上記の例は他のコードブックを排除しないことに留意すべきである。
【００７５】
共通制御信号について、コードブックの選択は基本的にＵＥに対して透過的であり、ＣＳＩは必要とならない。
【００７６】
有効更新期間中に、同一の共通制御信号は、異なるビーム及び異なるタイムスロットにおいて送信される。ＵＥは、有効更新期間中の各タイムスロットにおいて共通制御信号を受信し、特定のビーム（例えば、それにおいて所定のＳＩＮＲ閾値よりも高い）において受信に成功した後にそれぞれの手順を実行しようとする。この手順では、ＵＥはビームの詳細事項を知る必要がない。
【００７７】
本開示の一実施形態では、基地局は構成情報をＵＥにさらに送信してもよく、構成情報は、セル全体に単一のビームを走査する期間、共通制御信号を送信する継続時間（すなわち、上記の有効更新期間）及び／又はコードブックサイズを備える。そのようにして、ＵＥは構成情報に従って必要となる共通制御信号を検出し得る。同様に、上記の構成情報は必須ではないが、必要な場合にのみ送信されることを理解すべきである。
【００７８】
本開示の一実施形態では、方式１のように、共通制御信号を搬送する上記のビームをセルにおいて走査する前に、参照信号シーケンスは、共通制御信号に対するビーム形成コードワード／重み付けと同一のビーム形成コードワード／重み付けで重み付けされ得るので、単一のビームがセル全体にわたって１つずつ走査される。ここでは、各単一のビームが、プリコーディングされた１つの参照信号シーケンスを搬送する。すなわち、参照信号シーケンスは、共通制御信号と同一のプリコーディング態様となる。それによって、ＵＥは、引き続き送信される共通制御信号に対してチャネル推定及び復調を実行し得る。
【００７９】
方式１と比較して、方式２における送信遅延は、すべてのビームに対するパワー共有化がなく、長くなる。この目的で、２つのビーム間のカバレッジホールの問題をさらに解決するために、方式１のパワーブースト及びビームシフト化も検討され得る。ビームシフト化について、上記のビーム形成コードワードが調整可能であるので、ビームがすべてのセル領域をカバーするようにより狭い角度間隔で走査可能となる。ビームの幅における調整は、アンテナ構成及びコードブックの選択を調整することによって実現され得る。
【００８０】
方式３：ビーム探索及び多重化の組合せ
図５は、本開示のさらなる実施形態による共通制御信号を送信する方法３００のフローチャートを示す。
【００８１】
図５に示すように、ステップＳ３０２では、基地局はビーム形成コードブックで構成される。
【００８２】
ステップＳ３０３では、基地局は、ビーム形成コードブックのそれぞれのビーム形成コードワードを用いて、複数の共通制御信号をそれぞれプリコーディングし、複数の共通制御信号は同一である。次に、ステップＳ３０４では、セルの各領域において、基地局はセルの各領域を単一のビームで各領域内において同時に空間分割多重化で走査し、各領域の全体はプリコーディングされた複数の共通制御信号を送信するために、異なる単一のビームでそれぞれ走査され、単一のビームがプリコーディングされた１つの共通制御信号を搬送する。
【００８３】
本開示の一実施形態では、方法は、共通制御信号を送信する前に、Ｓ３０１をさらに備え、基地局が、プリコーディングされた複数の異なる参照信号シーケンスを生成するために、ビーム形成コードワードを用いて、共通制御信号に対する参照信号シーケンスをそれぞれプリコーディングする。続いて、基地局はプリコーディングされた各参照信号シーケンスについて単一のビームでセル全体を順次走査し、単一のビームはプリコーディングされた１つの参照信号シーケンスを搬送する。それによって、ＵＥは、受信された参照信号シーケンスを用いて、後続の共通制御信号に対してチャネル推定及び復調を実行し得る。本開示の一実施形態では、ビーム形成コードブックを構成するステップは、領域コードブック及びビーム走査コードブックによってビーム形成コードブックを決定するステップをさらに備え、領域コードブックは各々がセルにおける異なる領域をそれぞれ示すＮｓｅｃｔｏｒコードワードを備え、ビーム走査コードブックは１つの領域において利用可能なビーム形成コードワードを示すＮｂｅａｍコードワードを備える。
【００８４】
選択的に、基地局は、領域コードブックとビーム走査コードブックの行列のクロネッカー積を演算することによってビーム形成コードブックを決定し得る。
【００８５】
上記のステップの各々を、図６との関連においてさらに示す。
【００８６】
セル全体は、送信手順において空間多重化によって異なる領域／セクタに分割され、方式２のものと同様のビーム探索は各セクタにおいてさらに実行される。すべてのセクタについて、セクタ内のビーム探索は同時に実行可能である。この方式は、探索時間とパワー割当ての間で相殺可能である。同様に、参照信号シーケンスは、共通制御信号と同一のビーム形成ベクトルを介してプリコーディングされる。
【００８７】
図６に示すように、Ｎ＝１６のビームによる例を示し、ここで第１のセルは４個のセクタに分割され、４個のビームは４個のセクタで同時に走査される。次に、各セクタにおいて、４個ビームは１個ずつ走査される。１６個のビームは同一の共通制御信号を搬送するが、これらの共通制御信号は上記の送信方式を形成するために異なるビーム形成ベクトルでプリコーディングされる。
【００８８】
ここでは、上記の各走査が同時に実行される。タイムスロットにおけるｅＮＢの観点からすると、同一の共通制御信号を有する４個のビームは、タイムスロットにおいて同時に走査される。ここでは、４個のデータストリームが、送信のために対応する時間周波数リソースに重複する。
【００８９】
方式３は、方式１と比較して消費電力を軽減し、方式２と比較して時間効率を向上させることができる平衡化された方式である。本開示の一実施形態では、探索時間を短縮するには、ビーム走査パターンが探索シーケンス、例えば、二分探索によって最適化され得る。
【００９０】
本開示の一実施形態では、ビーム形成コードブックは、領域／セクタコードブック及びビーム走査コードブックを備える。
【００９１】
以下の例において、セクタコードブックは、
【数２】
2019518362.tif 000004
で表記され、領域コードブックは、セルにおいて異なる領域／セクタをそれぞれ示すＮｓｅｃｔｏｒコードワードを備える。ビーム走査コードブックは、ＷＳｃａｎ＝［ｗ１，ｗ２，．．．，ｗＮｂｅａｍ］で表記され、これは１つの領域における利用可能なビーム形成コードワードを示す。
【００９２】
ビーム形成コードブックは、上記の２つのコードブックによって決定され得る。選択的に、本開示の一実施形態では、ビーム形成コードブックは上記の２つのコードブックのクロス積によって決定される。当然のことながら、他の適切な方式が採用されてもよい。
【００９３】
説明は、領域コードブックとビーム走査コードブックの行列のクロネッカー積が計算される実施形態で以下に示される。
【００９４】
続いて、ＤＬタイムスロットでは、同一の共通制御信号が、
【数３】
2019518362.tif 000005
のプリコーダ（ビーム形成コードブックである式１におけるＷ行列）による空間多重化で送信される。ここでは、上記の「ｈｉｗｉはゼロでなく、かつｈｉｗｊ＝０」が適用される。
【００９５】
本開示の一実施形態では、セクタ及びビーム走査シーケンスは、フレキシブルに分離及び合成されてもよく、シグナリング送信を高速化することになる。詳細な走査方式／構成は、ＵＥが指し示されるビーム走査送信のみに関して最良の受信品質を得るので、ＵＥについて無視はされてもよい。参照信号シーケンスについて、１つのタイムスロットでは、４個のビームも空間多重化で送信され得る。具体的には、参照信号シーケンスは、共通制御信号に用いられるものと同一のビーム重み付けを介してプリコーディングされ、同一の空間多重化で送信され得る。それにより、ＵＥは引き続き送信される共通制御信号に対してチャネル推定及び復調を実行し得る。
【００９６】
同様に、方式３はまた、方式１におけるパワーブースト及びビームシフト化を用いてもよい。
【００９７】
方式３におけるコードブック設計は上記の２つの方式とは異なるが、上記の方式で説明したように、ＵＥはそれでもコードブックの選択に対して透過的であってもよく、ＣＳＩフィードバックは必要とならない。選択的に、ｅＮＢは構成情報をＵＥに送信してもよく、構成情報は、単一のビームでセル全体を走査する期間及び／又は共通制御信号を送信する継続時間（すなわち、上記の有効更新期間）を備える。そのようにして、ＵＥは、構成情報に従って必要とされる共通制御信号を検出し得る。
【００９８】
図７は、本開示の一実施形態による共通制御信号を送信するデバイス１０の概略図を示す。デバイス１０は、構成モジュール１０１、プリコーディングモジュール１０２及び送信モジュール１０３を備える。
【００９９】
構成モジュール１０１は、第１のビーム形成コードブックを構成するために用いられる。
【０１００】
プリコーディングモジュール１０２は、第１のビーム形成コードブックのビーム形成コードワードを用いて、複数の共通制御信号をそれぞれプリコーディングするのに用いられ、複数の共通制御信号は同一である。送信モジュール１０３は、複数のビームを用いて、プリコーディングされた複数の共通制御信号をセルにおけるそれぞれのビームカバレッジ領域に空間分割多重化でそれぞれ送信するのに用いられる。さらに、プリコーディングモジュール１０２は、複数のビームを搬送する複数の異なる参照信号シーケンスをそれぞれ生成するために、ビーム形成コードワードを用いて、共通制御信号に対して参照信号シーケンスをそれぞれプリコーディングするようにさらに構成される。
【０１０１】
送信モジュール１０３は、複数のビームをセルにおける対応するビームカバレッジ領域に空間分割多重化でそれぞれ送信するようにさらに構成される。
【０１０２】
さらに、デバイス１０はパワーブーストモジュールをさらに備え、それはプリコーディングされた複数の共通制御信号を送信するために、少なくとも１つのＯＦＤＭシンボルの少なくとも１つのサブキャリアを用いて、プリコーディングされた複数の共通制御信号の送信パワーを増加させ、少なくとも１つのサブキャリアがプリコーディングされた複数の共通制御信号を送信するのに用いられることが回避された。
【０１０３】
好ましくは、少なくとも１つの第２のビーム形成コードブックを構成し、第２のビーム形成コードブックは第１のビーム形成コードブックとは異なり、少なくとも１つの第２のビーム形成コードブックのビーム形成コードワードを用いて、複数の同一の共通制御信号をそれぞれプリコーディングし、複数のビームを用いて、少なくとも１つの第２のビーム形成コードブックでそれぞれプリコーディングされた複数の共通制御信号をセルにおけるそれぞれのビームカバレッジ領域に空間分割多重化で送信するために、構成モジュール１０１がさらに用いられ、ビームカバレッジ領域は、少なくとも１つの第２のビーム形成コードブックでプリコーディングされた共通制御信号が送信され、第１のビーム形成コードブックでプリコーディングされた共通制御信号が送信されるビームカバレッジ領域に対してビームシフトを有する。
【０１０４】
好ましくは、送信モジュール１０３は、複数のビームを用いて、第１のビーム形成コードブックでプリコーディングされた複数の共通制御信号及び少なくとも１つの第２のビーム形成コードブックでプリコーディングされた複数の共通制御信号を所定の順序でセルにおけるそれぞれのビームカバレッジ領域に空間分割多重化で送信するようにさらに構成される。
【０１０５】
好ましくは、送信モジュール１０３は構成情報をユーザ機器に送信するようにさらに構成され、構成情報は、第１のビーム形成コードブックのコードブックサイズ及びビームシフトについての情報のうちの少なくとも１つを備える。
【０１０６】
図８は、本開示の他の実施形態による共通制御信号を送信するデバイスの概略図を示す。デバイス２０は、構成モジュール２０１、プリコーディングモジュール２０２及び走査モジュール２０３を備える。
【０１０７】
構成モジュール２０１は、ビーム形成コードブックを構成するのに用いられる。
【０１０８】
プリコーディングモジュール２０２は、ビーム形成コードブックのそれぞれのビーム形成コードワードを用いて、共通制御信号を個別にプリコーディングするのに用いられる。
【０１０９】
走査モジュール２０３は、プリコーディングされた各共通制御信号について、プリコーディングされた共通制御信号を送信するために、セルの全体を単一のビームで順次走査するのに用いられ、単一のビームがプリコーディングされた１つの共通制御信号を搬送する。
【０１１０】
好ましくは、デバイス２０は、構成情報をユーザ機器に送信する送信モジュールをさらに備え、構成情報は、セルの全体を単一のビームで走査する期間、共通制御信号を送信する継続時間、及びビーム形成コードブックのコードブックサイズのうちの少なくとも１つを備える。
【０１１１】
プリコーディングモジュール２０２は、プリコーディングされた複数の異なる参照信号シーケンスを生成するために、ビーム形成コードブックのそれぞれのビーム形成コードワードを用いて、共通制御信号の参照信号シーケンスをそれぞれプリコーディングするようにさらに構成される。
【０１１２】
走査モジュール２０３は、プリコーディングされた各参照信号シーケンスについて、セルの全体を単一のビームで順次走査するようにさらに構成され、単一のビームがプリコーディングされた１つの参照信号シーケンスを搬送する。
【０１１３】
図９は、本開示のさらなる実施形態による共通制御信号を送信するデバイスの概略図を示す。デバイス３０は、構成モジュール３０１、プリコーディングモジュール３０２及び走査モジュール３０３を備える。
【０１１４】
構成モジュール３０１は、ビーム形成コードブックを構成するのに用いられる。
【０１１５】
プリコーディングモジュール３０２は、ビーム形成コードブックのそれぞれのビーム形成コードワードを用いて、複数の共通制御信号をそれぞれプリコーディングするのに用いられ、複数の共通制御信号は同一である。走査モジュール３０３は、セルの各領域を単一のビームで各領域内において同時に空間分割多重化で走査するのに用いられ、各領域の全体は、プリコーディングされた複数の共通制御信号を送信するために異なる単一のビームでそれぞれ走査され、単一のビームがプリコーディングされた１つの共通制御信号を搬送する。ここでは、構成モジュール３０１は、領域コードブック及びビーム走査コードブックによってビーム形成コードブックを決定するようにさらに構成され、領域コードブックがセルにおける異なる領域をそれぞれ示すＮｓｅｃｔｏｒコードワードを備え、ビーム走査コードブックは１つの領域における利用可能なビーム形成コードワードを示すＮｂｅａｍを備える。
【０１１６】
好ましくは、構成モジュール３０１は、領域コードブックとビーム走査コードブックのクロス積によって、ビーム形成コードブックを決定するようにさらに構成される。
【０１１７】
プリコーディングモジュール３０２は、プリコーディングされた複数の異なる参照信号シーケンスを生成するために、ビーム形成コードワードを用いて、共通制御信号に対して参照信号シーケンスをそれぞれプリコーディングするようにさらに構成される。
【０１１８】
走査モジュール３０３は、セルの各領域を単一のビームで各領域内において同時に空間分割多重化で走査するようにさらに構成され、プリコーディングされた複数の異なる参照信号シーケンスを送信するために、各領域の全体が異なる単一のビームでそれぞれ走査され、単一のビームがプリコーディングされた１つの参照信号シーケンスを搬送する。
【０１１９】
本開示が上記の実施形態の例の詳細に限定されず、本開示の趣旨又は基本的構成から逸脱することなく他の特定の態様で実施され得ることは、当業者にとっては明らかである。したがって、実施形態は、限定としてではなく例示として解釈されるべきである。さらに、明らかに、用語「備える」は他の要素及びステップを除外せず、用語「１つ」は複数を除外しない。装置の特許請求項において規定される複数の要素はまた、１つの要素によって実施されてもよい。用語「第１」、「第２」などは、単に名称を示し任意の特定の順序を示していない。
【図１】
2019518362.tif 000006
【図２】
2019518362.tif 000007
【図３】
2019518362.tif 000008
【図４】
2019518362.tif 000009
【図５】
2019518362.tif 000010
【図６】
2019518362.tif 000011
【図７】
2019518362.tif 000012
【図８】
2019518362.tif 000013
【図９】
2019518362.tif 000014
【国際調査報告】
2019518362.tif 000015
2019518362.tif 000016
2019518362.tif 000017
2019518362.tif 000018